(57)【特許請求の範囲】
【請求項１】
発行前のカードが収容されるとともに収容された前記カードを１枚ずつ送り出すカード供給ユニットと、生体認証データを取得する生体認証センサと、前記生体認証センサで取得された前記生体認証データを前記カード供給ユニットから送り出された前記カードに記録するデータ記録ユニットとを備えるとともに、前記生体認証データと異なる種類の個人認証データを取得するカードリーダおよびスキャナの少なくともいずれか一方を備えるカード発行装置であって、
前記データ記録ユニットは、前記生体認証データに加えて前記個人認証データを前記カードに記録し、
前記カード発行装置の制御部は、前記カード発行装置が接続される上位制御装置に前記生体認証データを通知することなく、前記生体認証データが前記カードに記録されたことを前記上位制御装置に通知することを特徴とするカード発行装置。
【請求項２】
前記制御部は、前記カード供給ユニットから送り出された前記カードに予め記録されたカード個別識別データを前記上位制御装置に通知するとともに、前記個人認証データが前記カードに記録されたことを前記上位制御装置に通知することを特徴とする請求項１記載のカード発行装置。
【請求項３】
前記カードに印刷を行うプリンタを備えることを特徴とする請求項２記載のカード発行装置。
【請求項４】
前記生体認証センサは、指紋センサであり、
前記データ記録ユニットは、前記カードに形成されるＩＣチップの外部接続端子に接触して前記ＩＣチップに前記生体認証データを記録するＩＣ接点機構を有する接触式のＩＣカードリーダ、あるいは、前記カードに内蔵されるＩＣチップの非接触通信用のアンテナと通信を行って前記ＩＣチップに前記生体認証データを記録する通信用アンテナを有する非接触式のＩＣカードリーダであることを特徴とする請求項１から３のいずれかに記載のカード発行装置。
【発明の詳細な説明】
【技術分野】
【０００１】
本発明は、カードを発行するカード発行装置に関する。
【背景技術】
【０００２】
従来、スロットマシン等の複数のゲームユニットを備えるゲームシステムが知られている（たとえば、特許文献１参照）。特許文献１に記載のゲームシステムは、ユーザの生体認証データ（バイオメトリクス認証データ）を取得するための登録ユニットと、ネットワークを介して登録ユニットに接続されるサーバとを備えている。このゲームシステムでは、事前に、ゲームシステムを使用するユーザの生体認証データが登録ユニットで取得され、ゲームユニットの使用条件とともにサーバに登録される。
【０００３】
また、特許文献１に記載のゲームシステムでは、各ゲームユニットは生体認証センサを備えており、ユーザがゲームユニットを使用する際に、ゲームユニットの生体認証センサでユーザの生体認証データが取得される。また、ゲームユニットの生体認証センサで取得された生体認証データとサーバに登録された生体認証データとが照合され、両方の生体認証データが合致する場合であって、かつ、サーバに登録されたゲームユニットの使用条件が所定の条件を満たす場合に、ユーザによるゲームユニットの使用が可能になる。
【先行技術文献】
【特許文献】
【０００４】
【特許文献１】米国特許出願公開第２００４／１９２４４２号明細書
【発明の概要】
【発明が解決しようとする課題】
【０００５】
特許文献１に記載のゲームシステムでは、登録ユニットで取得されたユーザの生体認証データが、ネットワークを介して登録ユニットに接続されるサーバに登録されている。したがって、このゲームシステムでは、生体認証データを登録する際の生体認証データのセキュリティ性を確保するために、登録ユニットのセキュリティ対策、サーバのセキュリティ対策および登録ユニットとサーバとの間のデータ伝達経路のセキュリティ対策が必要になる。すなわち、このゲームシステムでは、生体認証データを登録する際の生体認証データのセキュリティ性を確保するために、広範囲なセキュリティ対策が必要になり、セキュリティ対策に要するコストが高くなる。
【０００６】
そこで、本発明の課題は、生体認証データを登録する際の生体認証データのセキュリティ性を確保することが可能であっても、セキュリティ対策に要するコストを低減することが可能なカード発行装置を提供することにある。
【課題を解決するための手段】
【０００７】
上記の課題を解決するため、本発明のカード発行装置は、発行前のカードが収容されるとともに収容されたカードを１枚ずつ送り出すカード供給ユニットと、生体認証データを取得する生体認証センサと、生体認証センサで取得された生体認証データをカード供給ユニットから送り出されたカードに記録するデータ記録ユニットとを備えるとともに、生体認証データと異なる種類の個人認証データを取得するカードリーダおよびスキャナの少なくともいずれか一方を備えるカード発行装置であって、データ記録ユニットは、生体認証データに加えて個人認証データをカードに記録し、カード発行装置の制御部は、カード発行装置が接続される上位制御装置に生体認証データを通知することなく、生体認証データがカードに記録されたことを上位制御装置に通知することを特徴とする。
【０００８】
本発明のカード発行装置は、生体認証センサと、生体認証センサで取得された生体認証データをカード供給ユニットから送り出されたカードに記録するデータ記録ユニットとを備えている。そのため、本発明では、カード発行装置の内部で取得した生体認証データをカード発行装置の内部でカードに登録することが可能になり、カード発行装置が接続される上位制御装置とカード発行装置との間で生体認証データの通信を行う必要がなくなる。したがって、本発明では、カード発行装置のセキュリティ対策を行えば、生体認証データを登録する際の生体認証データのセキュリティ性を確保することが可能になる。その結果、本発明では、生体認証データを登録する際の生体認証データのセキュリティ性を確保することが可能であっても、セキュリティ対策に要するコストを低減することが可能になる。
【０００９】
また、本発明では、カード発行装置は、生体認証データと異なる種類の個人認証データを取得するカードリーダおよびスキャナの少なくともいずれか一方を備えており、データ記録ユニットは、カードリーダやスキャナで取得された個人認証データをカードに記録しているため、生体認証データと個人認証データとをカードの中で関連付けすることが可能になる。また、本発明において、制御部は、カード供給ユニットから送り出されたカードに予め記録されたカード個別識別データを上位制御装置に通知するとともに、個人認証データがカードに記録されたことを上位制御装置に通知することが好ましい。
【００１０】
本発明において、カード発行装置は、カードに印刷を行うプリンタを備えることが好ましい。このように構成すると、カードリーダやスキャナで取得された個人認証データに対応する情報の中の機密性の低い情報をカードに印刷することが可能になる。
【００１１】
本発明において、生体認証センサは、たとえば、指紋センサであり、データ記録ユニットは、たとえば、カードに形成されるＩＣチップの外部接続端子に接触してＩＣチップに生体認証データを記録するＩＣ接点機構を有する接触式のＩＣカードリーダ、あるいは、カードに内蔵されるＩＣチップの非接触通信用のアンテナと通信を行ってＩＣチップに生体認証データを記録する通信用アンテナを有する非接触式のＩＣカードリーダである。
【発明の効果】
【００１２】
以上のように、本発明のカード発行装置では、生体認証データを登録する際の生体認証データのセキュリティ性を確保することが可能であっても、セキュリティ対策に要するコストを低減することが可能になる。
【図面の簡単な説明】
【００１３】
【図１】本発明の実施の形態にかかるカード発行装置を含むシステム全体のブロック図である。
【図２】図１に示すカード発行装置の斜視図である。
【図３】図２に示すカードの平面図である。
【発明を実施するための形態】
【００１４】
以下、図面を参照しながら、本発明の実施の形態を説明する。
【００１５】
（カード発行装置の構成）
図１は、本発明の実施の形態にかかるカード発行装置１を含むシステム全体のブロック図である。図２は、図１に示すカード発行装置１の斜視図である。図３は、図２に示すカード２の平面図である。
【００１６】
本形態のカード発行装置１は、カード２を発行するための装置であり、たとえば、スロットマシン等の複数のゲーム機が配置されるカジノ等に設置されて使用される。このカード発行装置１は、パーソナルコンピュータ等の上位制御装置３に接続されている。上位制御装置３は、所定のケーブルを介して、あるいは、ネットワークを介してサーバ４に接続されている。カード２は、０．７〜０．８ｍｍ程度の塩化ビニール製のカードであり、略長方形状に形成されている。カード２には、ＩＣチップが内蔵されており、図３に示すように、カード２のおもて面には、ＩＣチップの外部接続端子２ａが形成されている。
【００１７】
カード発行装置１は、発行前のカード２が収容されるとともに収容されたカード２を１枚ずつ送り出すカード供給ユニット６と、カード２に記録されたデータの読取りやカード２へのデータの記録を行うカードリーダ７と、画像データを取得するスキャナ８と、カード２に印刷を行うプリンタ９とを備えている。また、カード発行装置１は、カード供給ユニット６、カードリーダ７、スキャナ８およびプリンタ９のそれぞれの間でカード２を搬送するカード搬送ユニット１０を備えている。
【００１８】
カード供給ユニット６、カードリーダ７、スキャナ８、プリンタ９およびカード搬送ユニット１０は、筐体１１の内部に配置されている。また、カード発行装置１は、生体認証データを取得する生体認証センサとしての指紋センサ１３と、カード発行装置１の制御部１４とを備えている。カード供給ユニット６、カードリーダ７、スキャナ８、プリンタ９、カード搬送ユニット１０および指紋センサ１３は、制御部１４に接続されている。また、制御部１４は、インターフェースを介して上位制御装置３に接続されている。
【００１９】
カード供給ユニット６は、発行前の複数枚のカード２が積層されて収容されるカード収容部、および、カード収容部から１枚ずつカード２を送り出すカード送出機構等を備えている。カード収容部に収容されるカード２では、カード２に内蔵されるＩＣチップに、カード個別識別データが予め記録されるとともに、カード２の表面に、カード個別識別データが予め印刷されている。カード搬送ユニット１０は、カード２を内部に一時的に保持するカード保持部、カード保持部を水平方向へ移動させる水平移動機構、および、カード保持部を回動させる回動機構等を備えている。なお、本形態では、複数個のカード供給ユニット６が筐体１１の内部に配置されている。
【００２０】
指紋センサ１３は、ユーザの指紋のデータである指紋データを取得するためのセンサである。すなわち、指紋センサ１３は、生体認証データとしての指紋データを取得するためのセンサである。この指紋センサ１３は、筐体１１の前面に設置されている。また、筐体１１の前面には、発行されるカード２が排出されるカード発行口１７が取り付けられている。また、筐体１１の前面には、液晶ディスプレイ等の表示部１８が取り付けられている。表示部１８は、指紋センサ１３と隣り合うように配置されている。
【００２１】
カードリーダ７は、カード２の外部接続端子２ａに接触してカード２のＩＣチップとデータの通信を行うＩＣ接点機構２１を備えている。すなわち、カードリーダ７は、接触式のＩＣカードリーダである。また、カードリーダ７は、磁気データの読取りおよび記録の少なくともいずれか一方を行う磁気ヘッド２２と、非接触式のＩＣカードとデータの通信を行うための通信用アンテナ２３とを備えている。また、カードリーダ７は、カードリーダ７の内部でカード２を搬送するカード搬送機構を備えている。
【００２２】
カードリーダ７は、後述のように、カード供給ユニット６から送り出されたカード２に、指紋センサ１３で取得された指紋データを記録する。具体的には、カードリーダ７は、カード供給ユニット６から送り出されてカード搬送ユニット１０によってカードリーダ７まで搬送され、カードリーダ７の中に取り込まれたカード２のＩＣチップに、指紋センサ１３で取得された指紋データを記録する。より具体的には、ＩＣ接点機構２１がカード２の外部接続端子２ａに接触してカード２のＩＣチップに指紋データを記録する。本形態のカードリーダ７は、データ記録ユニットである。
【００２３】
（カード発行装置の動作）
カード発行装置１でカード２が発行される際には、たとえば、表示部１８に表示される表示にしたがって、ユーザは、指紋センサ１３に指を押し当てる。ユーザが指紋センサ１３に指を押し当てると、指紋センサ１３によって指紋データが取得される。取得された指紋データは、制御部１４に送信される。指紋データが制御部１４に送信されると、制御部１４は、指紋センサ１３で取得された指紋データが生体認証データとして適正なデータであるのか否かを判断する。指紋データが適切なデータである場合には、制御部１４は、この指紋データを記憶する。
【００２４】
その後、たとえば、表示部１８に表示される表示にしたがって、ユーザは、指紋データと異なる種類の個人認証データが記録されたＩＤカード、あるいは、指紋データと異なる種類の個人認証データが記録されたパスポート、免許証または身分証明書等（以下、「パスポート等」とする）を、筐体１１の前面に形成される挿入口（図示省略）に挿入する。たとえば、挿入口にＩＤカードが挿入されると、カード搬送ユニット１０はＩＤカードをカードリーダ７まで搬送する。カードリーダ７は、ＩＤカードをカードリーダ７の中に取り込み、ＩＣ接点機構２１、磁気ヘッド２２または通信用アンテナ２３によってＩＤカードに記録された個人認証データを読み取って取得する。
【００２５】
あるいは、カード搬送ユニット１０は挿入口に挿入されたＩＤカードをスキャナ８まで搬送し、スキャナ８はＩＤカードをスキャナ８の中に取り込んで、ＩＤカードに記録された個人認証データを読み取って取得する。また、たとえば、挿入口にパスポート等が挿入されると、カード搬送ユニット１０はパスポート等をスキャナ８まで搬送し、スキャナ８はパスポート等をスキャナ８の中に取り込んで、パスポート等に記録された個人認証データを読み取って取得する。個人認証データが取得されると、筐体１１の前面の挿入口からＩＤカードやパスポート等が排出される。また、カードリーダ７またはスキャナ８は、取得した個人認証データを制御部１４へ送信する。
【００２６】
また、カード供給ユニット６は、カード２を１枚送り出し、カード搬送ユニット１０は、カード供給ユニット６から送り出されたカード２をカードリーダ７に搬送する。カードリーダ７は、カード搬送ユニット１０によって搬送されたカード２をカードリーダ７の中に取り込んで、カード２のＩＣチップに予め記録されたカード個別識別データをＩＣ接点機構２１で読み取って取得し、取得したカード個別識別データを制御部１４へ送信する。
【００２７】
その後、制御部１４は、カードリーダ７またはスキャナ８から受信した個人認証データをカードリーダ７へ送信し、カードリーダ７は、カード２のＩＣチップにＩＣ接点機構２１によって個人認証データを記録する。また、制御部１４は、制御部１４に記憶された指紋データをカードリーダ７に送信し、カードリーダ７は、カード２のＩＣチップにＩＣ接点機構２１によって指紋データを記録する。なお、カードリーダ７で個人認証データが取得される場合には、カードリーダ７と制御部１４との間で個人認証データの通信が行われなくても良い。
【００２８】
その後、制御部１４は、カード個別識別データを上位制御装置３に通知するとともに、個人認証データおよび指紋データがカード２に登録（記録）されたことを上位制御装置３に通知する。また、カード発行装置１の内部で、カード２に対してその他の必要な処理が実行される。たとえば、カードリーダ７やスキャナ８で取得された個人認証データに対応する情報の中の機密性の低い情報（たとえば、ユーザの氏名等）がプリンタ９によってカード２に印刷される。また、カード２に対してその他の必要な処理が実行されると、カード発行口１７からカード２が発行される。なお、上位制御装置３に通知されたカード個別識別データは、上位制御装置３からサーバ４に送信されて、サーバ４に登録される。
【００２９】
（本形態の主な効果）
以上説明したように、本形態では、カード発行装置１の一部を構成する指紋センサ１３で取得された指紋データは、カード発行装置１の制御部１４に記憶された後、カード発行装置１の一部を構成するカードリーダ７に送信されて、カードリーダ７でカード２のＩＣチップに記録されている。すなわち、本形態では、カード発行装置１の内部で取得された指紋データがカード発行装置１の内部でカード２に登録されている。また、本形態では、指紋データがカード２に登録されたことは制御部１４から上位制御装置３に通知されるが、制御部１４から上位制御装置３へ指紋データは送信されていない。
【００３０】
そのため、本形態では、カード発行装置１のセキュリティ対策を行えば、指紋データを登録する際の指紋データのセキュリティ性を確保することが可能になる。その結果、本形態では、指紋データを登録する際の指紋データのセキュリティ性を確保することが可能であっても、セキュリティ対策に要するコストを低減することが可能になる。
【００３１】
本形態では、指紋データと異なる種類の個人認証データをカードリーダ７またはスキャナ８で取得してカード２に記録している。そのため、本形態では、指紋データと個人認証データとをカード２の中で関連付けすることが可能になる。また、本形態では、１台のカード発行装置１で指紋データと個人認証データとを取得してカード２に記録しているため、カード発行装置１を含むシステム全体のコンパクト化を図ることが可能になる。
【００３２】
（他の実施の形態）
上述した形態は、本発明の好適な形態の一例ではあるが、これに限定されるものではなく本発明の要旨を変更しない範囲において種々変形実施が可能である。
【００３３】
上述した形態では、カード発行装置１は、ＩＤカードやパスポート等に記録された個人認証データを読み取るためのスキャナ８を備えている。この他にもたとえば、カード発行装置１においてパスポート等が使用されず、かつ、カードリーダ７によってＩＤカードの個人認証データが読み取られるのであれば、カード発行装置１は、スキャナ８を備えていなくても良い。また、カード発行装置１において個人認証データが読み取られないのであれば、カード発行装置１は、スキャナ８を備えていなくても良い。
【００３４】
また、上述した形態では、カード発行装置１は、プリンタ９を備えているが、カード２に印刷を行わないのであれば、カード発行装置１は、プリンタ９を備えていなくても良い。なお、カード発行装置１がスキャナ８およびプリンタ９を備えておらず、かつ、カード供給ユニット６から送り出されたカード２が直接、カードリーダ７に搬入されるようにカード供給ユニット６およびカードリーダ７が配置されている場合には、カード発行装置１は、カード搬送ユニット１０を備えていなくても良い。
【００３５】
上述した形態では、カードリーダ７によってＩＤカードに記録された個人認証データが読み取られているが、カード発行装置１は、カードリーダ７とは別に、ＩＤカードに記録された個人認証データを読み取るためのカードリーダを備えていても良い。この場合には、カードリーダ７の中にカード２が取り込まれていても、ＩＤカードに記録された個人認証データを読み取ることが可能になる。また、上述した形態では、カード供給ユニット６、カードリーダ７、スキャナ８およびプリンタ９は、筐体１１の内部に配置されているが、カード供給ユニット６、カードリーダ７、スキャナ８およびプリンタ９の少なくともいずれか１つが筐体１１の外部に配置されていても良い。
【００３６】
上述した形態では、カード２に外部接続端子２ａが形成されているが、カード２のＩＣチップと非接触で通信を行うための通信用のアンテナがカード２に内蔵されても良い。この場合には、カードリーダ７は、通信用アンテナ２３によってカード２のＩＣチップに指紋データや個人認証データを記録する。また、この場合には、指紋データをカード２に記録するデータ記録ユニットは、非接触式のＩＣカードリーダである。また、この場合には、カード２の発行時に、カード２のＩＣチップに予め記録されたカード個別識別データが通信用アンテナ２３によって読み取られる。
【００３７】
また、カード２に磁気ストライプが形成されるとともに、カード２の磁気ストライプに指紋データや個人認証データが記録されても良い。この場合には、カードリーダ７は、磁気ヘッド２２によってカード２の磁気ストライプに指紋データや個人認証データを記録する。また、この場合には、指紋データをカード２に記録するデータ記録ユニットは、磁気カードリーダである。また、カード２に磁気ストライプが形成される場合には、磁気ストライプにカード個別識別データが予め記録されても良い。この場合には、カード２の発行時に、磁気ストライプに予め記録されたカード個別識別データが磁気ヘッド２２によって読み取られる。
【００３８】
さらに、カード２の表面に印刷されるバーコードデータとして、指紋データや個人認証データが記録されても良い。この場合には、プリンタ９が、指紋データや個人認証データをバーコードデータとして記録する。また、この場合には、指紋データをカード２に記録するデータ記録ユニットは、プリンタ９である。また、上述した形態では、カード２の発行時に、カード２のＩＣチップに予め記録されたカード個別識別データがＩＣ接点機構２１によって読み取られているが、カード２の発行時に、カード２の表面に予め印刷されたカード個別識別データがスキャナ８によって読み取られても良い。
【００３９】
上述した形態では、生体認証データを取得する生体認証センサは、ユーザの指紋データを取得する指紋センサ１３である。この他にもたとえば、生体認証センサは、ユーザの手のひらや指の血管の形のデータを取得する静脈認証センサであっても良いし、ユーザの顔の形のデータを取得する顔認識センサであっても良い。また、生体認証センサは、ユーザの瞳の中の虹彩のデータを取得する虹彩認証センサであっても良いし、ユーザの網膜のデータを取得する網膜認証センサであっても良いし、ユーザの声紋のデータを取得する声紋認証センサであっても良い。
【００４０】
上述した形態では、カード供給ユニット６のカード収容部に収容されるカード２では、カード２のＩＣチップに、カード個別識別データが予め記録されるとともに、カード２の表面に、カード個別識別データが予め印刷されている。この他にもたとえば、カード２のＩＣチップにカード個別識別データが予め記録されていなくても良いし、カード２の表面にカード個別識別データが予め印刷されていなくても良い。カード２のＩＣチップにカード個別識別データが予め記録されず、かつ、カード２の表面にカード個別識別データが予め印刷されていない場合には、カード２の発行時に、上位制御装置３がカード個別識別データを指定するとともに、カードリーダ７によってカード２のＩＣチップにカード個別識別データを記録するか、または、プリンタ９によってカード２の表面にカード個別識別データを印刷すれば良い。
【００４１】
上述した形態では、カード２の発行時に、指紋データと異なる種類の個人認証データがカード２に記録されているが、カード２の発行時に、指紋データと異なる種類の個人認証データがカード２に記録されなくても良い。また、上述した形態では、カード２は、０．７〜０．８ｍｍ程度の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。
【００４２】
上述した形態において、指紋センサ１３で取得された指紋データを暗号化する機能を指紋センサ１３が備えるとともに、暗号化された指紋データを復号する機能をカードリーダ７が備えていても良い。この場合には、カード発行装置１のセキュリティ性を高めることが可能になる。また、上述した形態において、カード発行装置１は、筐体１１が不正に取り外されたり、筐体１１の一部が破壊されたり、カード発行装置１の制御基板（図示省略）がカード発行装置１のフレームから不正に取り外されたりしたことを検知したり防御したりするための手段を備えていても良い。この場合にも、カード発行装置１のセキュリティ性を高めることが可能になる。
【符号の説明】
【００４３】
１  カード発行装置
２  カード
２ａ  外部接続端子
６  カード供給ユニット
７  カードリーダ（データ記録ユニット、接触式のＩＣカードリーダ）
８  スキャナ
９  プリンタ
１３  指紋センサ（生体認証センサ）
２１  ＩＣ接点機構
２３  通信用アンテナ
【図１】
0006475133.tif 000002
【図２】
0006475133.tif 000003
【図３】
0006475133.tif 000004